(57)【要約】      （修正有）【課題】施工が容易な枠付きパネル連結式建物を提供する。【解決手段】パネル連結式住宅の床構造体、外壁構造体、天井構造体を構成している枠付きパネル連結体は、いずれも、規格品の細長い標準枠付きパネル１を短辺方向に連結した構造となっている。工場生産される枠付きパネル１の各端面は位置合わせ用の段差状の端面となっており、一方の面にのみ第１木質パネル４を張ってある。現場において必要枚数が連結固定された後に、２枚の枠付きパネル毎に、広幅の第２木質パネルが張り付けられている。現場での枠付きパネル相互の位置合わせ、連結作業が容易であり、広幅の第２木質パネルによってパネル間の結合強度も高めることができる。【選択図】図２
0003221507.tif 000002
【実用新案登録請求の範囲】
【請求項１】
長方形輪郭の枠付きパネルを連結して構成される枠付きパネル連結体によって、床構造体、壁構造体および天井構造体が構築されている枠付きパネル連結式住宅であって、
前記枠付きパネルは、
矩形断面の木質の枠材が長方形に組まれた構成の枠体と、
前記枠体の一方の面を封鎖するように、当該枠体に張り付けられている長方形の第１木質パネルと、
を備えており、
前記枠付きパネルの四周縁のうち、第１短辺縁部および第１長辺縁部においては、前記第１木質パネルにおける第１短辺縁パネル端面および第１長辺縁パネル端面に対して、前記枠体における第１短辺縁枠体端面および第１長辺縁枠体端面が一定寸法だけ突出しており、
前記枠付きパネルの残りの第２短辺縁部および第２長辺縁部においては、前記第１木質パネルの第２短辺縁パネル端面および第２長辺縁パネル端面に対して、前記枠体の第２短辺縁枠体端面および第２長辺縁枠体端面が前記一定寸法と同一寸法だけ後退しており、
前記枠体の前記第１短辺縁枠体端面および前記第１長辺縁枠体端面を規定している第１短辺縁枠材および第１長辺縁枠材は、第１幅寸法および第１厚さ寸法の矩形断面の枠材であり、
前記第２短辺縁枠体端面および前記第２長辺縁枠体端面を規定している第２短辺縁枠材および第２長辺縁枠材は、前記第１幅寸法および前記第１厚さ寸法の２倍の第２厚さ寸法の矩形断面の枠材であり、
前記枠付きパネル連結体は、複数枚の前記枠付きパネルが、少なくとも、その短辺の方向に連結されており、
隣接する前記枠付きパネルを第１、第２枠付きパネルとすると、前記第１枠付きパネルの前記第１長辺縁部の前記第１長辺縁枠体端面に、前記第２枠付きパネルの前記第２長辺縁部の前記第２長辺縁枠体端面を突き合わせた状態で、前記第１、第２長辺縁枠材が締結金具によって相互に連結固定されており、
前記枠付きパネル連結体において、前記第１木質パネルが張り付けられていない他方の面には、隣接する２枚の前記枠付きパネルを覆う状態に、短辺が前記枠付きパネルの２倍の寸法、長辺が前記枠付きパネルと同一寸法の第２木質パネルが張り付けられていることを特徴とする枠付きパネル連結式建物。
【請求項２】
前記枠付きパネルの前記枠体は、
前記第１長辺縁枠体端面を備えた第１長辺縁枠材と、前記第２長辺縁枠体端面を備えた第２長辺縁枠材との間に架け渡した補強用枠材を備えている
請求項１に記載の枠付きパネル連結式建物。
【請求項３】
前記枠付きパネルは、前記枠体の内側に配置した断熱材を備えている請求項１または２に記載の枠付きパネル連結式建物。
【請求項４】
前記枠体は、短辺が４５０ｍｍ、長辺が２７００ｍｍであり、
前記第１木質パネルは、短辺が４５０ｍｍ、長辺が２７００ｍｍのパネルであり、
前記第２木質パネルは、短辺が９００ｍｍ、長辺が２７００ｍｍのパネルである
請求項１ないし３のうちのいずれか一つの項に記載の枠付きパネル連結式建物。
【考案の詳細な説明】
【技術分野】
【０００１】
本考案は、枠付きパネルを連結して構築される床構造体、壁構造体、天井構造体を備えた枠付きパネル連結式建物に関する。
【背景技術】
【０００２】
住宅工法としては、ツーバイフォー工法などの木造枠組壁工法が知られており、規格断面の角材から構成される枠組の両面に合板を張り付けて壁などが構築される。また、規格品のパネルを工場で予め製作しておき、パネルを工事現場に搬入して組み立て、住宅の床、壁、天井等の構造体を構築するパネル工法が知られている。特許文献１においては、パネル工法において、積層板を用いてパネル強度を高めて、強度の高い建物を構築できるようにしている。パネル工法では、建物の構造体が、工場生産された規格品であるパネルを用いて構築できるので、ツーバイフォー工法等に比べて施工がより簡単になる。
【先行技術文献】
【特許文献】
【０００３】
【特許文献１】特開２００２−４４１０号公報
【考案の概要】
【考案が解決しようとする課題】
【０００４】
本考案の課題は、パネル工法によって構築される枠付きパネル連結式住宅において、十分な強度を備え、かつ、現場における連結作業も簡単に行うことができる枠付きパネルを用いて構築された枠付きパネル連結式建物を提供することにある。
【課題を解決するための手段】
【０００５】
上記の課題を解決するために、本考案は、長方形輪郭の枠付きパネルを連結して構成される枠付きパネル連結体によって、床構造体、壁構造体および天井構造体が構築される枠付きパネル連結式建物において、枠付きパネルは、矩形断面の木質の枠材が長方形に組まれた構成の枠体と、前記枠体の一方の面である第１面を封鎖するように、当該枠体に張り付けられている長方形の第１木質パネルとを備えている。
【０００６】
枠付きパネルの四周縁のうち、第１短辺縁部および第１長辺縁部においては、第１木質パネルにおける第１短辺縁パネル端面および第１長辺縁パネル端面に対して、枠体における第１短辺縁枠体端面および第１長辺縁枠体端面が一定寸法だけ突出しており、枠付きパネルの残りの第２短辺縁部および第２長辺縁部においては、第１木質パネルの第２短辺縁パネル端面および第２長辺縁パネル端面に対して、木質枠体の第２短辺縁枠体端面および第２長辺縁枠体端面が前記一定寸法と同一寸法だけ後退している。
【０００７】
枠体の第１短辺縁枠体端面および第１長辺縁枠体端面を規定している第１短辺縁枠材および第１長辺縁枠材は、第１幅寸法および第１厚さ寸法の矩形断面の枠材であり、第２短辺縁枠体端面および第２長辺縁枠体端面を規定している第２短辺縁枠材および第２長辺縁枠材は、第１幅寸法および第１厚さ寸法の１／２の第２厚さ寸法の矩形断面の枠材である。
【０００８】
枠付きパネル連結体は、複数枚の枠付きパネルが、少なくとも、その短辺の方向に連結されている。隣接する枠付きパネルを第１、第２枠付きパネルとすると、第１枠付きパネルの第１長辺縁部の第１長辺縁枠体端面に、第２枠付きパネルの第２長辺縁部の第２長辺縁枠体端面を突き合わせた状態で、これらの第１、第２長辺縁枠材が釘などの締結金具によって相互に連結固定されている。
【０００９】
また、枠付きパネル連結体において、第１木質パネルが張り付けられていない他方の面には、隣接する２枚の木質パネルを覆う状態に、短辺が枠付きパネルの２倍の寸法、長辺が枠付きパネルと同一寸法の第２木質パネルが張り付けられる。
【００１０】
長方形に組まれた枠体の一方の面に第１木質パネルが張り付けられた構成の枠付きパネルは工場生産により製作できる。例えば、建物の壁構造体を構築する場合には、設置されている土台に沿って、枠付きパネルを上下方向が長辺方向となるように立設して横方向に並べる。隣接する枠付きパネルの間では、各パネル端面が位置決め用の段差面となっているので、一方の第１長辺縁部と他方の第２長辺縁部とを位置決めして突き合せる作業が容易である。各枠付きパネルは、一方の面、例えば、室内側の面が開口状態であり、枠体が露出している。これにより、隣接する枠付きパネルを相互に位置決めする作業、これらを突き合わせて、釘、ネジ等の締結金具によって連結固定する作業の双方を簡単に行うことができる。枠付きパネルを連結した後は、現場において、広幅の第２木質パネルを枠付きパネル連結体の開口側の面に張り付ける。隣接する２枚の枠付きパネル毎に、広幅の第２木質パネルが張り付けられるので、パネル連結体を構成する各枠付きパネルを確実に連結固定できる。
【図面の簡単な説明】
【００１１】
【図１】（ａ）は枠付きパネル連結式建物を示す斜視図、（ｂ）および（ｃ）はそれぞれ概略断面図である。
【図２】（ａ）は枠付きパネルを示す正面図、（ｂ）はその断面図、（ｃ）は（ｂ）に直交する方向の断面図、（ｄ）は枠付きパネルを連結した構成のパネル連結体を示す説明図である。
【考案を実施するための形態】
【００１２】
以下に、図面を参照して、本考案を適用した枠付きパネル連結式建物、および、枠付きパネルの実施の形態を説明する。
【００１３】
（枠付きパネル連結式建物）
図１（ａ）は枠付きパネル連結式建物の一例を示す斜視図であり、壁仕上げなどの仕上げを施工する前の状態を示し、窓などの開口部を省略してある。図１（ｂ）はその梁間方向の概略断面図であり、図１（ｃ）はその桁行き方向の概略断面図である。
【００１４】
枠付きパネル連結式建物１００（以下、単に「建物１００」と呼ぶ場合もある。）は、床構造体１１０、外壁構造体１２０および天井構造体１３０からなる直方体形状の建物本体部を備えている。床構造体１１０、外壁構造体１２０、天井構造体１３０は、基本的に、長方形輪郭の枠付きパネル１を連結して構成される枠付きパネル連結体によって構築されている。本例では、枠付きパネル１として、工場生産された枠付きパネル１および土台用枠付きパネル１Ａが使用されている。土台用枠付きパネル１Ａは使用されない場合もある。また、現場で張り付ける規格品の第２木質パネル５、現場合わせ用の木質パネル６Ａ、６Ｂ等も用いている。建物本体部は、基礎部分１４０の上に架け渡した鉄骨製の土台受け１４２の上に設置されている。建物本体部の天井構造体１３０の上には、例えば、片流れ屋根１５０が設置されている。
【００１５】
基礎部分１４０では、例えばＲＣ独立基礎１４１が、建物１００の外壁設置位置およびその内側に、所定の間隔で設置される。Ｈ型鋼などの鉄骨製の土台受け１４２が、外壁設置位置に沿って配置され独立基礎１４１によって支持されている。桁行き方向である長辺方向に架け渡されている土台受け１４２の間には、所定の間隔で、梁間方向である短辺方向にスチール角パイプなどの横架材１４３を架け渡してある。また、必要に応じて、基礎部分１４０と土台受け１４２の間には、免震用のゴムなどの弾性部材１４４を装着する。基礎構造は各種の構造を採用でき、本例の構成に限定されるものではない。
【００１６】
外壁構造体１２０における下端部分は、土台用枠付きパネル１Ａが横方向に連結されており、これらの上側に、標準枠付きパネル１が横方向に連結されている。土台用枠付きパネル１Ａの下端側の長辺縁枠材が、土台受け１４２に溶接した連結用のボルトによって土台受け１４２に固定される。また、床構造体１１０との取り合い部分には、床構造体１１０の枠付きパネル１の端面に、例えば連結材を取り付け、これを介して、双方が釘打ちによって連結固定される。
【００１７】
天井構造体１３０のパネル割付は、基本的に床構造体１１０と同様である。天井構造体１３０は、外壁構造体１２０の上端部の間に短辺方向に架け渡した合板梁１３１によって支持されている。天井構造体１３０の四周部分は、例えば連結材を介して、外壁構造体１２０の上端部に釘打ちにより連結固定される。
【００１８】
（枠付きパネル）
枠付きパネル連結式建物１００の床構造体１１０、外壁構造体１２０および天井構造体１３０の施工に用いられる枠付きパネルを説明する。枠付きパネルとして、本例では、標準枠付きパネル１および土台用枠付きパネル１Ａを用いている。
【００１９】
（枠付きパネルの例）
図２（ａ）は標準枠付きパネル１の一例を示す正面図であり、図２（ｂ）はその横断面図であり、図２（ｃ）は縦断面図であり、図２（ｄ）は標準枠付きパネル１を連結して構成される枠付きパネル連結体１０の施工手順を示す説明図である。
【００２０】
標準枠付きパネル１は、床構造体１１０、外壁構造体１２０および天井構造体１３０を構築するために用いられる。標準枠付きパネル１は、本例では、幅４５０ｍｍ、長さ２７００ｍｍの矩形輪郭のパネルである。これらの寸法に、幅および長さが限定されるものではない。例えば、長さ寸法は、９００ｍｍ、１８００ｍｍなどとすることができる。標準枠付きパネル１は、矩形輪郭の木質の枠体２と、枠体２内の矩形開口に充填した断熱材３と、枠体２の一方の面である第１面に張り付けて枠体２の矩形開口を覆い隠している１枚の長方形輪郭の第１木質パネル４から構成されている。
【００２１】
標準枠付きパネル１の四周縁のうち、一方の第１短辺縁部１１および一方の第１長辺縁部１２は段差付き端面であり、第１木質パネル４における第１短辺縁パネル端面４１ａおよび第１長辺縁パネル端面４２ａに対して、枠体２における第１短辺縁枠体端面２１ａおよび第１長辺縁枠体端面２２ａが一定寸法だけ突出している。これに対して、標準枠付きパネル１の残りの第２短辺縁部１３および第２長辺縁部１４も段差付き端面であるが、第１木質パネル４の第２短辺縁パネル端面４３ａおよび第２長辺縁パネル端面４４ａに対して、枠体２の第２短辺縁枠体端面２３ａおよび第２長辺縁枠体端面２４ａが一定寸法だけ後退している。したがって、第１短辺縁部１１と第２短辺縁部１３とは相補的な形状をした段差付き端面となっており、第１長辺縁部１２と第２長辺縁部１４も、相補的な形状をした段差付き端面となっている。
【００２２】
第１木質パネル４は、構造用合板などからなり、例えば、短辺が４５０ｍｍ、長辺が２７００ｍｍの細長い長方形のパネルである。枠体２の第１短辺縁枠材２１および第１長辺縁枠材２２は、第１幅寸法および第１厚さ寸法の矩形断面の枠材である。第１短辺縁枠材２１の外側の端面が、第１短辺縁枠体端面２１ａであり、第１長辺縁枠材２２の外側の端面が、第１長辺縁枠体端面２２ａである。枠体２の残りの第２短辺縁枠材２３および第２長辺縁枠材２４は、第１幅寸法および第１厚さ寸法の半分の第２厚さ寸法の矩形断面をした細い枠材である。第２短辺縁枠材２３の外側の端面が、第２短辺縁枠体端面２３ａであり、第２長辺縁枠材２４の外側の端面が、第２長辺縁枠体端面２４ａである。
【００２３】
ここで、標準枠付きパネル１の枠体２において、第１長辺縁枠材２２と第２長辺縁枠材２４との間には、補強用枠材２５が架け渡されている。補強用枠材２５は、第２短辺縁枠材２３、第２長辺縁枠材２４と同一断面をした細い枠材である。また、断熱材３は、補強用枠材２５によって２つに仕切られている枠体２の矩形開口に装着されている。
【００２４】
図２（ｄ）に示すように、標準枠付きパネル１を、その短辺の方向に連結することで枠付きパネル連結体１０が構成される。短辺の方向に隣接する標準枠付きパネル１を第１、第２枠付きパネル１（１）、１（２）として説明する。建築現場において、第１枠付きパネル１（１）の第１長辺縁部１２の第１長辺縁枠体端面２２ａに、第２枠付きパネル１（２）の第２長辺縁部１４の第２長辺縁枠体端面２４ａを突き合わせ、この突き合わせ状態で、第１、第２長辺縁枠材２２、２４が釘、ねじ等の締結金具によって相互に連結固定される。同様にして、短辺方向に必要枚数の標準枠付きパネル１が連結固定される。
【００２５】
必要枚数の標準枠付きパネル１を連結固定して枠付きパネル連結体１０が構築される。この後に、枠付きパネル連結体１０の各標準枠付きパネル１における開口側の側面である第２側面に、第２木質パネル５が順次、張り付けられる。
【００２６】
第２木質パネル５は、幅寸法が標準枠付きパネル１の２倍であり、長さ寸法が標準枠付きパネル１と同一である。例えば、第２木質パネル５は、短辺が９００ｍｍ、長辺が２７００ｍｍである。第２木質パネル５のそれぞれは、隣接する２枚の枠付きパネル１（１）、１（２）の他方の面である第２面を覆う状態に張り付けられる。第２木質パネル５を張り付けることで、各枠付きパネルの第２側面が封鎖され、断熱材３が覆い隠される。
【００２７】
床構造体１１０、外壁構造体１２０、天井構造体１３０の施工においては、上記のように、標準枠付きパネル１を短辺方向に必要枚数連結固定して、枠付きパネル連結体１０を構築し、次に、枠付きパネル連結体１０に第２木質パネル５が張り付けられる。各部の施工を、規格品を用いて同様な手順で効率良く行うことができる。
【符号の説明】
【００２８】
１  パネル
１Ａ  パネル
２  枠体
３  断熱材
４  第１木質パネル
５  第２木質パネル
６Ａ、６Ｂ  木質パネル
１０  枠付きパネル連結体
１１  第１短辺縁部
１２  第１長辺縁部
１３  第２短辺縁部
１４  第２長辺縁部
２１  第１短辺縁枠材
２１ａ  第１短辺縁枠体端面
２２  第１長辺縁枠材
２２ａ  第１長辺縁枠体端面
２３  第２短辺縁枠材
２３ａ  第２短辺縁枠体端面
２４  第２長辺縁枠材
２４ａ  第２長辺縁枠体端面
２５  補強用枠材
４１ａ  第１短辺縁パネル端面
４２ａ  第１長辺縁パネル端面
４３ａ  第２短辺縁パネル端面
４４ａ  第２長辺縁パネル端面
１００  パネル連結式建物
１１０  床構造体
１２０  外壁構造体
１３０  天井構造体
１３１  合板梁
１４０  基礎部分
１４１  独立基礎
１４３  横架材
１４４  弾性部材
１５０  屋根
【図１】
0003221507.tif 000003
【図２】
0003221507.tif 000004